(57)【要約】所定周波数による無線通信により受信される映像が表示される新規なヘッドマウントディスプレイ、表示制御装置、表示制御方法及びプログラムを提供する。映像受信部（９４）は、所定周波数での無線通信によりエンタテインメント装置（１４）から映像を受信する。表示制御部（９６）は、ユーザがＨＭＤ（１２）を装着したと判定される場合に、所定周波数での無線通信により受信される映像を、ＨＭＤ（１２）の表示部に表示させる。表示制御部（９６）は、所定周波数での無線通信により映像受信部（９４）で受信される映像をＨＭＤ（１２）の表示部に表示させる前に、所定周波数での無線通信による映像受信部（９４）での受信以外の方法により取得される映像を、表示部に表示させる。
2018101162.tif 000002
【特許請求の範囲】
【請求項１】
ヘッドマウントディスプレイであって、
所定周波数での無線通信により映像送信装置から映像を受信する所定周波数通信部と、
ユーザが前記ヘッドマウントディスプレイを装着したと判定される場合に、前記所定周波数通信部により受信される映像を、前記ヘッドマウントディスプレイの表示部に表示させる装着後映像表示制御部と、
前記所定周波数通信部により受信される映像を前記表示部に表示させる前に、前記所定周波数通信部による受信以外の方法により取得される映像を、前記表示部に表示させる装着前映像表示制御部と、
を含むことを特徴とするヘッドマウントディスプレイ。
【請求項２】
前記装着前映像表示制御部は、前記映像送信装置から送信されない映像を前記表示部に表示させる、
ことを特徴とする請求項１に記載のヘッドマウントディスプレイ。
【請求項３】
前記装着前映像表示制御部は、前記ヘッドマウントディスプレイを装着するユーザの周辺を撮影するカメラが撮影した映像を前記表示部に表示させる、
ことを特徴とする請求項２に記載のヘッドマウントディスプレイ。
【請求項４】
前記装着前映像表示制御部は、前記所定周波数とは異なる周波数での無線通信により前記映像送信装置から受信する映像を表示させる、
ことを特徴とする請求項１に記載のヘッドマウントディスプレイ。
【請求項５】
前記所定周波数通信部は、前記ヘッドマウントディスプレイを装着するユーザの周辺を撮影するカメラが撮影した映像に対して画像処理を実行した後の映像を受信する、
ことを特徴とする請求項１から４のいずれか一項に記載のヘッドマウントディスプレイ。
【請求項６】
前記ヘッドマウントディスプレイを装着するユーザの視線を検出する視線検出部、をさらに含み、
前記装着後映像表示制御部は、前記検出の結果に基づいてユーザが前記ヘッドマウントディスプレイを装着したと判定される場合に、前記所定周波数通信部により受信される映像を、前記ヘッドマウントディスプレイの表示部に表示させる、
ことを特徴とする請求項１から５のいずれか一項に記載のヘッドマウントディスプレイ。
【請求項７】
所定周波数での無線通信により映像送信装置から映像を受信する所定周波数通信部と、
ユーザがヘッドマウントディスプレイを装着したと判定される場合に、前記所定周波数通信部により受信される映像を、前記ヘッドマウントディスプレイの表示部に表示させる装着後映像表示制御部と、
前記所定周波数通信部により受信される映像を前記表示部に表示させる前に、前記所定周波数通信部による受信以外の方法により取得される映像を、前記表示部に表示させる装着前映像表示制御部と、
を含むことを特徴とする表示制御装置。
【請求項８】
所定周波数での無線通信により映像送信装置から映像を受信するステップと、
ユーザがヘッドマウントディスプレイを装着したと判定される場合に、前記受信するステップで受信される映像を、前記ヘッドマウントディスプレイの表示部に表示させるステップと、
前記受信するステップで受信される映像を前記表示部に表示させる前に、前記受信するステップでの受信以外の方法により取得される映像を、前記表示部に表示させるステップと、
を含むことを特徴とする表示制御方法。
【請求項９】
所定周波数での無線通信により映像送信装置から映像を受信する手順、
ユーザがヘッドマウントディスプレイを装着したと判定される場合に、前記受信する手順で受信される映像を、前記ヘッドマウントディスプレイの表示部に表示させる手順、
前記受信する手順で受信される映像を前記表示部に表示させる前に、前記受信する手順での受信以外の方法により取得される映像を、前記表示部に表示させる手順、
をコンピュータに実行させることを特徴とするプログラム。
【発明の詳細な説明】
【技術分野】
【０００１】
本発明は、ヘッドマウントディスプレイ、表示制御装置、表示制御方法及びプログラムに関する。
【背景技術】
【０００２】
近年、ヘッドマウントディスプレイ（ＨＭＤ）が普及し始めている。ＨＭＤとは、ウェアラブルコンピュータの一種であり、ユーザが頭部に装着して眼前に表示される映像を鑑賞できるディスプレイ装置である。
【発明の概要】
【発明が解決しようとする課題】
【０００３】
発明者らは、ＨＭＤに対して所定周波数での無線通信により映像を送信することを検討している。例えばゲーム装置が生成する映像がＨＭＤに無線で送信され、ＨＭＤに表示されるようにすることが検討されている。【０００４】
本発明の目的の一つは、所定周波数による無線通信により受信される映像が表示される新規なヘッドマウントディスプレイ、表示制御装置、表示制御方法及びプログラムを提供することにある。
【課題を解決するための手段】
【０００５】
上記課題を解決するために、本発明に係るヘッドマウントディスプレイは、所定周波数での無線通信により映像送信装置から映像を受信する所定周波数通信部と、ユーザが前記ヘッドマウントディスプレイを装着したと判定される場合に、前記所定周波数通信部により受信される映像を、前記ヘッドマウントディスプレイの表示部に表示させる装着後映像表示制御部と、前記所定周波数通信部により受信される映像を前記表示部に表示させる前に、前記所定周波数通信部による受信以外の方法により取得される映像を、前記表示部に表示させる装着前映像表示制御部と、を含む。【０００６】
本発明の一態様では、前記装着前映像表示制御部は、前記映像送信装置から送信されない映像を前記表示部に表示させる。【０００７】
この態様では、前記装着前映像表示制御部は、前記ヘッドマウントディスプレイを装着するユーザの周辺を撮影するカメラが撮影した映像を前記表示部に表示させてもよい。【０００８】
また、本発明の一態様では、前記装着前映像表示制御部は、前記所定周波数とは異なる周波数での無線通信により前記映像送信装置から受信する映像を表示させる。【０００９】
また、本発明の一態様では、前記所定周波数通信部は、前記ヘッドマウントディスプレイを装着するユーザの周辺を撮影するカメラが撮影した映像に対して画像処理を実行した後の映像を受信する。【００１０】
また、本発明の一態様では、前記ヘッドマウントディスプレイを装着するユーザの視線を検出する視線検出部、をさらに含み、前記装着後映像表示制御部は、前記検出の結果に基づいてユーザが前記ヘッドマウントディスプレイを装着したと判定される場合に、前記所定周波数通信部により受信される映像を、前記ヘッドマウントディスプレイの表示部に表示させる。【００１１】
また、本発明に係る表示制御装置は、所定周波数での無線通信により映像送信装置から映像を受信する所定周波数通信部と、ユーザがヘッドマウントディスプレイを装着したと判定される場合に、前記所定周波数通信部により受信される映像を、前記ヘッドマウントディスプレイの表示部に表示させる装着後映像表示制御部と、前記所定周波数通信部により受信される映像を前記表示部に表示させる前に、前記所定周波数通信部による受信以外の方法により取得される映像を、前記表示部に表示させる装着前映像表示制御部と、を含む。【００１２】
また、本発明に係る表示制御方法は、所定周波数での無線通信により映像送信装置から映像を受信するステップと、ユーザがヘッドマウントディスプレイを装着したと判定される場合に、前記受信するステップで受信される映像を、前記ヘッドマウントディスプレイの表示部に表示させるステップと、前記受信するステップで受信される映像を前記表示部に表示させる前に、前記受信するステップでの受信以外の方法により取得される映像を、前記表示部に表示させるステップと、を含む。【００１３】
また、本発明に係るプログラムは、所定周波数での無線通信により映像送信装置から映像を受信する手順、ユーザがヘッドマウントディスプレイを装着したと判定される場合に、前記受信する手順で受信される映像を、前記ヘッドマウントディスプレイの表示部に表示させる手順、前記受信する手順で受信される映像を前記表示部に表示させる前に、前記受信する手順での受信以外の方法により取得される映像を、前記表示部に表示させる手順、をコンピュータに実行させる。
【図面の簡単な説明】
【００１４】
【図１】本発明の一実施形態に係るエンタテインメントシステムの全体構成の一例を示す図である。
【図２Ａ】本発明の一実施形態に係るヘッドマウントディスプレイの構成の一例を示す図である。
【図２Ｂ】本発明の一実施形態に係るエンタテインメント装置の構成の一例を示す図である。
【図２Ｃ】本発明の一実施形態に係る中継装置の構成の一例を示す図である。
【図３】本発明の一実施形態に係るヘッドマウントディスプレイの動作の一例を模式的に示した説明図である。
【図４】カメラ部が撮影する映像の一部を構成するフレーム画像の一例である撮影画像を示す図である。
【図５】通常状態映像を構成するフレーム画像の一例である処理画像が表示部に表示されている様子の一例を示す図である。
【図６】省電力状態映像を構成するフレーム画像の一例である省電力画像が表示部に表示されている様子の一例を示す図である。
【図７】本発明の一実施形態に係るヘッドマウントディスプレイ及びエンタテインメント装置で実装される機能の一例を示す機能ブロック図である。
【図８】本発明の一実施形態に係るエンタテインメント装置において行われる処理の流れの一例を示すフロー図である。
【図９】アイコン画像が表示部に表示されている様子の一例を示す図である。
【発明を実施するための形態】
【００１５】
以下、本発明の一実施形態について、図面を参照しながら説明する。
【００１６】
図１は、本発明の一実施形態に係るエンタテインメントシステム１０の全体構成の一例を示す図である。図２Ａは、本実施形態に係るヘッドマウントディスプレイ（ＨＭＤ）１２の構成の一例を示す図である。図２Ｂは、本実施形態に係るエンタテインメント装置１４の構成の一例を示す図である。図２Ｃは、本実施形態に係る中継装置１６の構成の一例を示す図である。
【００１７】
図１に示すように、本実施形態に係るエンタテインメントシステム１０は、ＨＭＤ１２とエンタテインメント装置１４と中継装置１６とディスプレイ１８とカメラマイクユニット２０とコントローラ２２とを含んでいる。
【００１８】
本実施形態に係るＨＭＤ１２には、例えば図２Ａに示すように、プロセッサ３０、記憶部３２、２つの通信部３４（第１通信部３４ａ及び第２通信部３４ｂ）、入出力部３６、表示部３８、センサ部４０、音声出力部４２、カメラ部４４、視線検出部４６が含まれる。
【００１９】
プロセッサ３０は、例えばＨＭＤ１２にインストールされるプログラムに従って動作するマイクロプロセッサ等のプログラム制御デバイスである。なお、ＨＭＤ１２に、プロセッサ３０の代わりに、プロセッサ３０によって実行される処理の実装が可能な制御回路が含まれるようにしてもよい。
【００２０】
記憶部３２は、例えばＲＯＭやＲＡＭ等の記憶素子などである。記憶部３２には、プロセッサ３０によって実行されるプログラムなどが記憶される。
【００２１】
第１通信部３４ａ及び第２通信部３４ｂは、それぞれ例えば無線ＬＡＮモジュールなどの通信インタフェースである。本実施形態では図１に示すように、第１通信部３４ａ及び第２通信部３４ｂは、ＨＭＤ１２の前側上方に配置されている。
【００２２】
本実施形態では第１通信部３４ａで行われる通信の通信規格と第２通信部３４ｂで行われる通信の通信規格とは異なっている。例えば第１通信部３４ａでは６０ＧＨｚ帯での通信が行われ、第２通信部３４ｂでは５ＧＨｚ帯又は２．４ＧＨｚ帯での通信が行われる。以下、第１通信部３４ａによる通信で用いられる周波数帯を高周波数帯と呼び、第２通信部３４ｂによる通信で用いられる周波数帯を低周波数帯と呼ぶこととする。
【００２３】
そして高周波数帯での通信の方が低周波数帯での通信よりも通信可能な最大レートは高い。また高周波数帯での通信の方が低周波数帯での通信よりも直進性が強く、また通信可能距離は短い。
【００２４】
入出力部３６は、例えばＨＤＭＩ（登録商標）（High-Definition Multimedia Interface）ポート、ＵＳＢポート、ＡＵＸポートなどの入出力ポートである。
【００２５】
表示部３８は、ＨＭＤ１２の前側に配置されている、例えば液晶ディスプレイや有機ＥＬディスプレイ等のディスプレイであり、エンタテインメント装置１４が生成する映像などを表示させる。また表示部３８は、ＨＭＤ１２の筐体に収容される。表示部３８は、例えばエンタテインメント装置１４が出力して中継装置１６で中継される映像信号を受信して、当該映像信号が表す映像を出力するようにしてもよい。本実施形態に係る表示部３８は、例えば左目用の画像と右目用の画像を表示することによって三次元画像を表示させることができるようになっている。なお表示部３８は三次元画像の表示ができず二次元画像の表示のみができるものであっても構わない。
【００２６】
センサ部４０は、例えば加速度や角速度を検出可能なモーションセンサなどといったセンサである。センサ部４０は、ＨＭＤ１２の回転量、移動量などの検出結果を所定のサンプリングレートで、プロセッサ３０に出力する。またセンサ部４０が、ユーザによるＨＭＤ１２の装着を検出可能な近接センサを含んでいてもよい。
【００２７】
音声出力部４２は、例えばヘッドホンやスピーカ等であり、エンタテインメント装置１４が生成する音声データが表す音声などを出力する。音声出力部４２は、例えばエンタテインメント装置１４が出力して中継装置１６で中継される音声信号を受信して、当該音声信号が表す音声を出力する。
【００２８】
カメラ部４４は、例えばデジタルカメラなどのカメラであり、所定のフレームレートでＨＭＤ１２を装着するユーザの周辺の様子を撮影する。図１に示すように、本実施形態に係るカメラ部４４は、表示部３８の上方に、表示部３８の前方を撮影できるように２つ配置されている。そのため本実施形態に係るカメラ部４４は、ＨＭＤ１２を装着するユーザの前方を撮影できることとなる。また本実施形態に係るカメラ部４４は、例えば左目用の画像を撮影するためのレンズ及び右目用の画像を生成するためのレンズを備えたステレオカメラである。
【００２９】
視線検出部４６は、ＨＭＤ１２を装着したユーザの視線を検出するセンサである。視線検出部４６は、例えば、ＨＭＤ１２の筐体の内側に配置される。また視線検出部４６は、ＨＭＤ１２を装着したユーザの視線方向を検出する赤外線カメラを含んでいてもよい。
【００３０】
本実施形態に係るエンタテインメント装置１４は、例えばゲームコンソール、ＤＶＤプレイヤ、Ｂｌｕ−ｒａｙ（登録商標）プレイヤなどといったコンピュータである。本実施形態に係るエンタテインメント装置１４は、例えば記憶されているゲームプログラムの実行や光ディスクに記録されたコンテンツの再生などによって映像や音声を生成する。そして本実施形態に係るエンタテインメント装置１４は、生成される映像を表す映像信号や生成される音声を表す音声信号を、中継装置１６を経由して、ＨＭＤ１２やディスプレイ１８に出力する。
【００３１】
本実施形態に係るエンタテインメント装置１４には、例えば図２Ｂに示すように、プロセッサ５０、記憶部５２、通信部５４、入出力部５６が含まれる。
【００３２】
プロセッサ５０は、例えばエンタテインメント装置１４にインストールされるプログラムに従って動作するＣＰＵ等のプログラム制御デバイスである。本実施形態に係るプロセッサ５０には、ＣＰＵから供給されるグラフィックスコマンドやデータに基づいてフレームバッファに画像を描画するＧＰＵ（Graphics Processing Unit）も含まれている。なお、エンタテインメント装置１４に、プロセッサ５０の代わりに、プロセッサ５０によって実行される処理の実装が可能な制御回路が含まれるようにしてもよい。
【００３３】
記憶部５２は、例えばＲＯＭやＲＡＭ等の記憶素子やハードディスクドライブなどである。記憶部５２には、プロセッサ５０によって実行されるプログラムなどが記憶される。また、本実施形態に係る記憶部５２には、ＧＰＵにより画像が描画されるフレームバッファの領域が確保されている。
【００３４】
通信部５４は、例えば無線ＬＡＮモジュールなどの通信インタフェースなどである。
【００３５】
入出力部５６は、ＨＤＭＩポート、ＵＳＢポートなどの入出力ポートである。
【００３６】
本実施形態に係る中継装置１６は、エンタテインメント装置１４から出力される映像信号や音声信号を中継してＨＭＤ１２やディスプレイ１８に出力するコンピュータである。
【００３７】
本実施形態に係る中継装置１６には、例えば図２Ｃに示すように、プロセッサ６０、記憶部６２、２つの通信部６４（第１通信部６４ａ及び第２通信部６４ｂ）、入出力部６６が含まれる。
【００３８】
プロセッサ６０は、例えば中継装置１６にインストールされるプログラムに従って動作するＣＰＵ等のプログラム制御デバイスである。なお、中継装置１６に、プロセッサ６０の代わりに、プロセッサ６０によって実行される処理の実装が可能な制御回路が含まれるようにしてもよい。
【００３９】
記憶部６２は、例えばＲＯＭやＲＡＭ等の記憶素子などである。記憶部６２には、プロセッサ６０によって実行されるプログラムなどが記憶される。
【００４０】
第１通信部６４ａ及び第２通信部６４ｂは、例えば無線ＬＡＮモジュールなどの通信インタフェースなどである。本実施形態では、図１に示すように、中継装置１６の前側に、第１通信部６４ａ及び第２通信部６４ｂが含まれている。
【００４１】
本実施形態では第１通信部６４ａで行われる通信の通信規格と第２通信部６４ｂで行われる通信の通信規格とは異なっている。例えば第１通信部６４ａでは高周波数帯（例えば６０ＧＨｚ帯）での通信が行われ、第２通信部６４ｂでは低周波数帯（例えば５ＧＨｚ帯又は２．４ＧＨｚ帯）での通信が行われる。
【００４２】
入出力部６６は、ＨＤＭＩポート、ＵＳＢポートなどの入出力ポートである。
【００４３】
本実施形態に係るディスプレイ１８は、例えば液晶ディスプレイ等であり、エンタテインメント装置１４から出力される映像信号が表す映像などを表示させる。
【００４４】
本実施形態に係るカメラマイクユニット２０は、例えば被写体を撮像した画像などといったカメラマイクユニット２０の周辺の様子を表すデータをエンタテインメント装置１４に出力するカメラ２０ａを含んでいる。また本実施形態に係るカメラ２０ａはステレオカメラである。また本実施形態に係るカメラマイクユニット２０は、周囲の音声を取得して当該音声を音声データに変換してエンタテインメント装置１４に出力するマイク２０ｂを含んでいる。
【００４５】
ＨＭＤ１２と中継装置１６とは、例えば、無線通信によるデータの送受信が互いに可能になっている。エンタテインメント装置１４と中継装置１６とは、例えば、ＨＤＭＩケーブルやＵＳＢケーブルなどを介して接続されている。中継装置１６とディスプレイ１８とは、例えば、ＨＤＭＩケーブルなどを介して接続されている。エンタテインメント装置１４とカメラマイクユニット２０とは、例えば、ＡＵＸケーブルなどを介して接続されている。
【００４６】
本実施形態に係るコントローラ２２は、エンタテインメント装置１４に対する操作入力を行うための操作入力装置である。ユーザは、コントローラ２２が備える方向キーやボタンを押下したり、操作スティックを傾けたりすることで、コントローラ２２を用いて各種の操作入力を行うことができる。そして本実施形態では、コントローラ２２は、操作入力に対応付けられる入力データをエンタテインメント装置１４に出力する。また本実施形態に係るコントローラ２２は、ＵＳＢポートを備えている。そしてコントローラ２２は、ＵＳＢケーブルでエンタテインメント装置１４と接続することで、有線で入力データをエンタテインメント装置１４に出力することができる。また本実施形態に係るコントローラ２２は、無線通信モジュール等を備えており、無線で入力データをエンタテインメント装置１４に出力することができるようにもなっている。
【００４７】
図３は、本実施形態に係るＨＭＤ１２の動作の一例を模式的に示した説明図である。図３には、ＨＭＤ１２の電源がＯＮになってからＯＦＦになるまでにおける第１通信部３４ａ及び第２通信部３４ｂの状態遷移の一例が示されている。また図３において、第１通信部３４ａの状態遷移の一例は実線で表現されており、第２通信部３４ｂの状態遷移の一例は二点鎖線で表現されている。
【００４８】
本実施形態では、ＨＭＤ１２の電源がＯＮである場合に、第１通信部３４ａは、通常状態又は省電力状態のいずれかの状態で動作する。ここで本実施形態では、第１通信部３４ａが省電力状態で動作する場合の方が通常状態で動作する場合よりもＨＭＤ１２の消費電力は小さくなるようになっている。
【００４９】
本実施形態では例えば、通常状態とは、第１通信部３４ａと第１通信部６４ａとの間での通信が行われている状態を指すこととする。また省電力状態とは、第１通信部３４ａに電源は供給されているが第１通信部３４ａと第１通信部６４ａとの間での通信は行われていない状態を指すこととする。
【００５０】
なお通常状態及び省電力状態は上述の状態には限定されない。例えば省電力状態が、第１通信部３４ａと第１通信部６４ａとの間のリンクは確立されているが、実際のデータの送受信が行われていない状態を指してもよい。
【００５１】
また本実施形態では、ＨＭＤ１２の電源がＯＮである場合に、第２通信部３４ｂは通常状態で動作する。ここで通常状態とは例えば、第２通信部３４ｂと第２通信部６４ｂとの間での通信が行われている状態を指すこととする。
【００５２】
また本実施形態に係るエンタテインメントシステム１０では、センサ部４０により検出される物理量や視線検出部４６が検出するユーザの視線などに基づいて、ユーザがＨＭＤ１２を装着している状態であるか否かが判定される。
【００５３】
例えば、視線検出部４６によってユーザの視線が検出された場合に、ユーザがＨＭＤ１２を装着したと判定されてもよい。また例えば視線検出部４６によってユーザの視線が特定の方向を向いたことが検出された場合に、ユーザがＨＭＤ１２を装着したと判定されてもよい。あるいは例えばユーザの視線方向が所定時間にわたって特定の方向を向いていることが検出された場合に、ユーザがＨＭＤ１２を装着したと判定されてもよい。また例えば視線検出部４６がユーザの視線方向を所定時間にわたって検出できなかった場合に、ユーザがＨＭＤ１２を取り外したと判定されてもよい。
【００５４】
また例えばセンサ部４０に含まれるモーションセンサが出力する、ＨＭＤ１２の回転量、移動量の検出結果に基づいて、ユーザがＨＭＤ１２を装着している状態であるか否かが判定されてもよい。
【００５５】
また例えばセンサ部４０に含まれる近接センサが、物体が近接している状態が所定時間以上経過したことを検出した際にユーザがＨＭＤ１２を装着したと判定されてもよい。この場合、例えばセンサ部４０に含まれる近接センサが、物体が近接していない状態が所定時間以上経過したことを検出した際にユーザがＨＭＤ１２を取り外したと判定されてもよい。
【００５６】
また例えばＨＭＤ１２がスイッチ等の機構を備えている場合に、当該スイッチがＯＮであるかＯＦＦであるかに基づいて、ユーザがＨＭＤ１２を装着している状態であるか否かが判定されてもよい。また例えばＨＭＤ１２がボイスコマンドを検出可能な場合に、当該ボイスコマンドに基づいて、ユーザがＨＭＤ１２を装着している状態であるか否かが判定されてもよい。
【００５７】
そして本実施形態では、ユーザがＨＭＤ１２を装着している状態であると判定される場合に第１通信部３４ａは通常状態で動作し、ユーザがＨＭＤ１２を装着していない状態であると判定される場合に第１通信部３４ａは省電力状態で動作する。
【００５８】
本実施形態では、例えば図３に示すように、ＨＭＤ１２の電源がＯＮにされると、第１通信部３４ａは省電力状態での動作を開始し、第２通信部３４ｂは通常状態での動作を開始する。その後、ユーザがＨＭＤ１２を装着したと判定された際に、本実施形態では、第１通信部３４ａの状態が省電力状態から通常状態に変化する。そしてその後、ユーザがＨＭＤ１２を取り外したと判定された際に、本実施形態では、第１通信部３４ａの状態が通常状態から省電力状態に変化する。その後、ＨＭＤ１２の電源がＯＦＦにされると、第１通信部３４ａ及び第２通信部３４ｂの動作は終了する。
【００５９】
そして本実施形態では、第１通信部３４ａが通常状態で動作する期間は、例えばカメラ部４４が所定のフレームレートで撮影する映像を第１通信部３４ａが中継装置１６の第１通信部６４ａ経由でエンタテインメント装置１４に送信する。図４に、カメラ部４４が撮影する映像の一部を構成するフレーム画像の一例である撮影画像７０を示す。そしてエンタテインメント装置１４が当該映像に所定の画像処理を実行する。ここで例えば、当該映像に含まれる被写体の像にバーチャルオブジェクトを重畳させる処理等を実行する。
【００６０】
そしてエンタテインメント装置１４は、画像処理が実行された映像を、中継装置１６の第１通信部６４ａ、及び、第１通信部３４ａを経由する通信経路で、ＨＭＤ１２に送信する。そして送信された映像が表示部３８に表示される。以下、第１通信部３４ａが通常状態で動作する期間に表示部３８に表示される映像を通常状態映像と呼ぶこととする。図５に、通常状態映像を構成するフレーム画像の一例である処理画像７２が表示部３８に表示されている様子の一例を示す。処理画像７２では、撮影画像７０にバーチャルオブジェクト７４が重畳されている。例えばこの場合は、ＨＭＤ１２を装着しているユーザは、周辺の様子を表す映像にバーチャルオブジェクトが重畳された映像などといった、周辺の様子を表す映像に画像処理が実行された通常状態映像を鑑賞することができる。
【００６１】
なお、周辺の様子を表す映像に対して実行される画像処理は上述のものには限定されず、例えばフィルタリングなどの画像処理が実行されてもよい。
【００６２】
また通常状態映像のフレームレートは、例えば、１２０ｆｐｓや６０ｆｐｓなどであってもよい。
【００６３】
一方、第１通信部３４ａが省電力状態で動作する期間は、本実施形態では例えば、カメラ部４４が撮影する映像のエンタテインメント装置１４への送信や、当該映像に対する画像処理は実行されない。そして本実施形態では、第１通信部３４ａが省電力状態で動作する期間であっても、ＨＭＤ１２の表示部３８には何らかの映像が表示されるようになっている。以下、第１通信部３４ａが省電力状態で動作する期間に表示部３８に表示される映像を省電力状態映像と呼ぶこととする。ここで例えば、カメラ部４４が撮影する映像がエンタテインメント装置１４に送信されることなく省電力状態映像として表示部３８に表示されるようにしてもよい。
【００６４】
図６に、省電力状態映像を構成するフレーム画像の一例である省電力画像７６が表示部３８に表示されている様子の一例を示す。図６に示すように、省電力状態映像を構成するフレーム画像のサイズが、通常状態映像を構成するフレーム画像のサイズよりも小さくてもよい。また例えば省電力状態映像を構成するフレーム画像の解像度が、通常状態映像を構成するフレーム画像の解像度よりも低くてもよい。
【００６５】
なお省電力状態映像は、第２通信部６４ｂ、及び、第２通信部３４ｂを経由する通信経路でＨＭＤ１２に送信される映像であってもよい。この場合当該省電力状態映像は、エンタテインメント装置１４又は中継装置１６が生成する映像やエンタテインメント装置１４又は中継装置１６に記憶されている映像であってもよい。また例えば、省電力状態映像は、ＨＭＤ１２の記憶部３２に記憶されている映像であってもよい。
【００６６】
また例えば、省電力状態映像は、カメラ部４４が撮影する映像であってもよい。この場合、当該省電力状態映像は、エンタテインメント装置１４や中継装置１６に送信されずにＨＭＤ１２の表示部３８に表示されてもよい。
【００６７】
また例えば、省電力状態映像のフレームレートは、通常状態映像のフレームレートよりも低くてもよい。例えば省電力状態映像のフレームレートは３０ｆｐｓであってもよい。
【００６８】
そして本実施形態では、表示部３８に省電力状態映像が表示されている場合の方が、通常状態映像が表示されている場合よりも、ＨＭＤ１２の消費電力は小さい。
【００６９】
以上のようにして本実施形態では、第１通信部３４ａが省電力状態で動作している期間においても何らかの映像が表示部３８に表示される。そのため本実施形態によれば、ユーザがＨＭＤ１２を装着していなくても映像がＨＭＤ１２に表示されるようにしつつＨＭＤ１２の消費電力を抑制できることとなる。
【００７０】
また例えばＨＭＤ１２を装着し終わるまでの間にＨＭＤ１２に何も表示されていないと不安を感じるユーザが存在する。本実施形態によれば、ユーザがＨＭＤを装着し終わるまでの間においても何らかの映像がＨＭＤ１２に表示されるので、このようなユーザの不安が緩和されることとなる。
【００７１】
また本実施形態では、上述のようにユーザがＨＭＤ１２を装着し終わるまでの間に表示される映像を手がかりにしてユーザはＨＭＤ１２の位置合わせを容易に行えることとなる。
【００７２】
またユーザがＨＭＤ１２を装着し終わるまでの間にＨＭＤ１２の位置や向きが大きく変動することや、ユーザが第１通信部３４ａに含まれるアンテナを手で覆うことなどによって、通信のリンクが不安定になるおそれがある。従って、例えばユーザがＨＭＤ１２を装着し終わるまでの間においても高周波数帯での通信によってエンタテインメント装置１４から送信される映像が表示部３８に表示されるようにしていると、当該映像が乱れるおそれがある。本実施形態では上述のように、省電力状態の際には高周波数帯での通信によってエンタテインメント装置１４からＨＭＤ１２に送信される映像が表示部３８には表示されない。そのため本実施形態によれば、ユーザがＨＭＤ１２を装着し終わるまでの間にＨＭＤ１２に映像を安定的に表示させることができることとなる。
【００７３】
以下、本実施形態に係るＨＭＤ１２及びエンタテインメント装置１４の機能並びに本実施形態に係るＨＭＤ１２及びエンタテインメント装置１４で実行される処理についてさらに説明する。
【００７４】
図７は、本実施形態に係るＨＭＤ１２及びエンタテインメント装置１４で実装される機能の一例を示す機能ブロック図である。なお、本実施形態に係るＨＭＤ１２及びエンタテインメント装置１４で、図７に示す機能のすべてが実装される必要はなく、また、図７に示す機能以外の機能が実装されていても構わない。
【００７５】
図７に示すように、本実施形態に係るＨＭＤ１２は、機能的には例えば、状態管理データ記憶部８０、検出部８２、検出結果送信部８４、状態管理部８６、通信制御部８８、映像取得部９０、映像送信部９２、映像受信部９４、表示制御部９６、を含んでいる。
【００７６】
状態管理データ記憶部８０は、記憶部３２を主として実装される。検出部８２は、センサ部４０又は視線検出部４６を主として実装される。検出結果送信部８４は、第２通信部３４ｂを主として実装される。映像送信部９２、映像受信部９４は、第１通信部３４ａを主として実装される。状態管理部８６、通信制御部８８は、プロセッサ３０及び通信部３４を主として実装される。映像取得部９０は、プロセッサ３０及びカメラ部４４を主として実装される。表示制御部９６は、プロセッサ３０及び表示部３８を主として実装される。
【００７７】
以上の機能は、コンピュータであるＨＭＤ１２にインストールされた、以上の機能に対応する指令を含むプログラムをプロセッサ３０で実行することにより実装されてもよい。このプログラムは、例えば、光ディスク、磁気ディスク、磁気テープ、光磁気ディスク、フラッシュメモリ等のコンピュータ読み取り可能な情報記憶媒体を介して、あるいは、インターネットなどを介してＨＭＤ１２に供給されてもよい。
【００７８】
また図７に示すように、本実施形態に係るエンタテインメント装置１４は、機能的には例えば、状態管理データ記憶部１００、検出結果受信部１０２、装着判定部１０４、状態変更通知部１０６、映像受信部１０８、画像処理実行部１１０、映像送信部１１２、を含んでいる。
【００７９】
状態管理データ記憶部１００は、記憶部５２を主として実装される。検出結果受信部１０２、状態変更通知部１０６、映像受信部１０８、映像送信部１１２は、入出力部５６を主として実装される。装着判定部１０４、画像処理実行部１１０は、プロセッサ５０を主として実装される。
【００８０】
以上の機能は、コンピュータであるエンタテインメント装置１４にインストールされた、以上の機能に対応する指令を含むプログラムをプロセッサ５０で実行することにより実装されてもよい。このプログラムは、例えば、光ディスク、磁気ディスク、磁気テープ、光磁気ディスク、フラッシュメモリ等のコンピュータ読み取り可能な情報記憶媒体を介して、あるいは、インターネットなどを介してエンタテインメント装置１４に供給されてもよい。
【００８１】
状態管理データ記憶部８０は、本実施形態では例えば、第１通信部３４ａが動作する状態を示す状態管理データを記憶する。ここでは例えば、第１通信部３４ａが通常状態で動作する際には、状態管理データの値として１が設定され、第１通信部３４ａが省電力状態で動作する際には、状態管理データの値として０が設定されることとする。また本実施形態では、ＨＭＤ１２の電源がＯＮになった際の状態管理データの初期値として０が設定されることとする。
【００８２】
検出部８２は、本実施形態では例えば、ユーザがＨＭＤ１２を装着している状態であるか否かの判定に用いられる情報を検出する。
【００８３】
検出結果送信部８４は、本実施形態では例えば、検出部８２による検出結果を示す情報を中継装置１６経由でエンタテインメント装置１４に送信する。本実施形態では検出結果送信部８４は、低周波数帯の通信経路で検出部８２による検出結果を示す情報を送信することとする。また検出結果送信部８４は、所定時間間隔で最新の検出結果を示す情報をエンタテインメント装置１４に送信してもよい。
【００８４】
上述のように例えば検出部８２がユーザの視線方向を検出し、検出結果送信部８４が、ユーザの視線方向を示す視線方向データを送信してもよい。なおこの場合、検出結果送信部８４は、赤外線カメラ等でユーザの眼を撮影した画像を送信してもよい。
【００８５】
また上述のように、検出部８２が、ＨＭＤ１２の回転量や移動量、近接センサと物体が近接している状態であるか否か、スイッチがＯＮであるかＯＦＦであるかなどを検出してもよい。また検出部８２がボイスコマンドを検出してもよい。そして検出結果送信部８４が、これらの検出結果を示すデータを送信してもよい。
【００８６】
状態管理部８６は、エンタテインメント装置１４から後述する状態変更通知を受信して、受信した状態変更通知に応じて状態管理データ記憶部８０に記憶されている状態管理データの値を変更する。例えば状態管理データの値を０から１に変更する状態変更通知を受信した際には、状態管理部８６は、状態管理データ記憶部８０に記憶されている状態管理データの値を１に変更する。また例えば状態管理データの値を１から０に変更する状態変更通知を受信した際には、状態管理部８６は、状態管理データ記憶部８０に記憶されている状態管理データの値を０に変更する。
【００８７】
通信制御部８８は、本実施形態では例えば、ユーザがＨＭＤ１２を装着している状態であると判定されるか否かに応じて、第１通信部３４ａによる通信を行うか否かを制御する。また通信制御部８８は、ＨＭＤ１２の電源がＯＮにされることに応じて、第２通信部３４ｂによる通信を開始する。また通信制御部８８は、ＨＭＤ１２の電源がＯＦＦにされることに応じて、第２通信部３４ｂによる通信を終了する。
【００８８】
ここで通信制御部８８は、状態管理データ記憶部８０に記憶されている状態管理データの値に応じて、第１通信部３４ａによる通信を行うか否かを制御してもよい。通信制御部８８は例えば、状態管理データの値が１である場合は、第１通信部３４ａによる通信が行われるよう制御し、状態管理データの値が０である場合は、通信制御部８８は、第１通信部３４ａによる通信が行われないよう制御してもよい。
【００８９】
また通信制御部８８は例えば、装着判定部１０４による判定の結果に基づいて、カメラ部４４が撮影した映像がＨＭＤ１２からエンタテインメント装置１４に送信されるか否かを制御してもよい。例えば、状態管理データの値が１である場合は、高周波数帯の通信経路を経由した、後述する映像取得部９０が取得する映像の送信及び通常状態映像の受信が行われるようにしてもよい。また通信制御部８８は例えば、状態管理データの値が０である場合は、高周波数帯の通信経路を経由した、カメラ部４４が撮影する映像の送信及び通常状態映像の受信が行われないようにしてもよい。また通信制御部８８は、状態管理データ記憶部８０に記憶されている状態管理データの値の変更に応じて、変更後の状態管理データの値に応じた動作をするよう第１通信部３４ａを制御してもよい。
【００９０】
映像取得部９０は、本実施形態では例えば、カメラ部４４が撮影した、ＨＭＤ１２を装着するユーザの周辺の様子を表す映像を取得する。
【００９１】
映像送信部９２は、本実施形態では例えば、状態管理データ記憶部８０に記憶されている状態管理データの値が１である場合に、映像取得部９０が取得する映像を、中継装置１６経由でエンタテインメント装置１４に送信する。このとき映像送信部９２は、高周波数帯の通信経路で映像を送信してもよい。
【００９２】
映像受信部９４は、本実施形態では例えば、所定周波数（例えば高周波数帯）での無線通信によりエンタテインメント装置１４から映像を受信する。ここで映像受信部９４は、例えば上述の通常状態映像などといった、カメラ部４４が撮影した映像に対して画像処理を実行した後の映像を受信してもよい。
【００９３】
表示制御部９６は、本実施形態では例えば、ユーザがＨＭＤ１２を装着したと判定される場合に、所定周波数（例えば高周波数帯）での無線通信により映像受信部９４が受信する映像を、表示部３８に表示させる。また表示制御部９６は、ユーザの視線の検出の結果に基づいてユーザがＨＭＤ１２を装着したと判定される場合に、所定周波数での無線通信によりエンタテインメント装置１４から受信される映像を、表示部３８に表示させてもよい。
【００９４】
また表示制御部９６は、本実施形態では例えば、所定周波数（例えば高周波数帯）での無線通信により映像受信部９４が受信する映像を表示部３８に表示させる前に、当該受信以外の方法により取得される映像を表示部３８に表示させる。この場合、表示制御部９６は、例えばエンタテインメント装置１４から送信されない映像を表示部３８に表示させてもよい。また表示制御部９６は、カメラ部４４が撮影した映像を表示部３８に表示させてもよい。あるいはこの場合に、映像受信部９４が、低周波数帯での無線通信によりエンタテインメント装置１４から送信される映像を受信してもよい。そして表示制御部９６が、低周波数帯での無線通信によりエンタテインメント装置１４から送信される映像を表示部３８に表示させてもよい。
【００９５】
また表示制御部９６は例えば、後述する装着判定部１０４による判定の結果に基づいて、ＨＭＤ１２に、エンタテインメント装置１４から受信した通常状態映像を表示させるか、カメラ部４４が撮影した省電力状態映像を表示させるかを制御してもよい。例えば、状態管理データの値が１である場合は上述の通常状態映像が表示部３８に表示され、状態管理データの値が０である場合は上述の省電力状態映像が表示部３８に表示されてもよい。また表示制御部９６は、状態管理データ記憶部８０に記憶されている状態管理データの値の変更に応じて、変更後の状態管理データの値に応じた表示態様となるよう、ＨＭＤ１２に表示される映像の表示態様を変更してもよい。
【００９６】
状態管理データ記憶部１００は、本実施形態では例えば、第１通信部３４ａが動作する状態を示す状態管理データを記憶する。なお本実施形態では、状態管理データ記憶部８０に記憶されている状態管理データの値と、状態管理データ記憶部１００に記憶されている状態管理データの値とは、同期がとられることとする。
【００９７】
検出結果受信部１０２は、本実施形態では例えば、検出結果送信部８４が送信する、検出部８２による検出結果を示す情報を受信する。
【００９８】
装着判定部１０４は、本実施形態では例えば、検出結果受信部１０２が受信する、検出部８２による検出結果を示す情報に基づいて、ユーザがＨＭＤ１２を装着している状態であるか否かを判定する。ここで装着判定部１０４は、検出部８２による検出結果を示す情報を検出結果受信部１０２が受信する度に、ユーザがＨＭＤ１２を装着している状態であるか否かを判定してもよい。例えば装着判定部１０４は、検出結果受信部１０２が最後に受信した検出結果を示す情報に基づいて、ユーザがＨＭＤ１２を装着している状態であるか否かを判定してもよい。また装着判定部１０４は、検出結果受信部１０２が直近に受信した所定数の検出結果を示す情報に基づいて、ユーザがＨＭＤ１２を装着している状態であるか否かを判定してもよい。
【００９９】
また装着判定部１０４は、本実施形態では例えば、ユーザがＨＭＤ１２を装着している状態であるか否かの判定結果が変更されたことに応じて、状態管理データ記憶部１００に記憶されている状態管理データの値を変更する。
【０１００】
ここで装着判定部１０４は、検出されるユーザの視線に基づいて、ユーザがＨＭＤ１２を装着している状態であるか否かを判定してもよい。例えば検出結果受信部１０２が上述の視線方向データを受信することとする。この場合において、状態管理データ記憶部１００に記憶されている状態管理データの値が０であって、検出結果受信部１０２が受信した視線方向データが所定の方向を示しているとする。この場合は、装着判定部１０４は、ユーザがＨＭＤ１２を装着している状態であると判定して、状態管理データ記憶部１００に記憶されている状態管理データの値を１に変更してもよい。また状態管理データ記憶部１００に記憶されている状態管理データの値が１であって、検出結果受信部１０２が、ユーザの視線方向を検出できなかったことを示す視線方向データを所定回数連続して受信したとする。この場合、装着判定部１０４は、ユーザがＨＭＤ１２を装着していない状態であると判定して、状態管理データ記憶部１００に記憶されている状態管理データの値を０に変更してもよい。
【０１０１】
なお検出結果受信部１０２が受信する、ＨＭＤ１２の回転量や移動量、近接センサと物体が近接している状態であるか否か、スイッチがＯＮであるかＯＦＦであるか、ボイスコマンドの検出、などを示すデータを受信する場合がある。この場合、装着判定部１０４は、検出結果受信部１０２が受信するこれらのデータに基づいて、ユーザがＨＭＤ１２を装着している状態であるか否かを判定してもよい。
【０１０２】
状態変更通知部１０６は、本実施形態では例えば、状態管理データ記憶部１００に記憶されている状態管理データの値の変更に応じて、状態管理データの値が変更されたことを示す状態変更通知をＨＭＤ１２に送信する。例えば、状態管理データ記憶部１００に記憶されている状態管理データの値が０から１に変更された際には、状態変更通知部１０６は、状態管理データの値を０から１に変更する状態変更通知を送信する。また例えば、状態管理データ記憶部１００に記憶されている状態管理データの値が１から０に変更された際には、状態変更通知部１０６は、状態管理データの値を１から０に変更する状態変更通知を送信する。
【０１０３】
映像受信部１０８は、本実施形態では例えば、映像送信部９２が送信する映像を受信する。ここで映像受信部１０８は、カメラ部４４が撮影する、ＨＭＤ１２を装着するユーザの周辺の様子を表す映像を受信してもよい。
【０１０４】
画像処理実行部１１０は、本実施形態では例えば、映像受信部１０８が受信する映像に対して所定の画像処理を実行する。ここで画像処理実行部１１０は、例えば、映像受信部１０８が受信する映像にバーチャルオブジェクトを重畳させる処理やフィルタリング処理などを実行してもよい。また画像処理実行部１１０は、状態管理データ記憶部１００に記憶されている状態管理データの値が１である場合に、映像受信部１０８が受信する映像に対して画像処理を実行してもよい。
【０１０５】
映像送信部１１２は、本実施形態では例えば、映像受信部１０８が受信する映像に対して画像処理実行部１１０により画像処理が実行された映像を中継装置１６経由でＨＭＤ１２に送信する。また映像送信部１１２は、状態管理データ記憶部１００に記憶されている状態管理データの値が１である場合に、画像処理が実行された映像を送信してもよい。ここで映像送信部１１２は、画像処理が実行された映像を、第１通信部６４ａ及び第１通信路３４ａを経由する通信経路でＨＭＤ１２に送信してもよい。
【０１０６】
以下、本実施形態に係るエンタテインメント装置１４で実行される、所定時間間隔で受信する視線方向データに基づく、第１通信部３４ａの状態の管理に関する処理の流れの一例を、図８に例示するフロー図を参照しながら説明する。
【０１０７】
まず検出結果受信部１０２が視線方向データを受信すると、装着判定部１０４は、状態管理データ記憶部１００に記憶されている状態管理データの値を確認する（Ｓ１０１）。
【０１０８】
ここで、状態管理データの値が０であることが確認された際には、装着判定部１０４は、直近に受信した所定数の視線方向データに基づいて、ユーザがＨＭＤ１２を装着している状態に変化したか否かを判定する（Ｓ１０２）。ここで例えば、装着判定部１０４は、受信した最新の視線方向データが任意の視線方向を示している場合にユーザがＨＭＤ１２を装着している状態に変化したと判定してもよい。また例えば、装着判定部１０４は、受信した最新の視線方向データが特定の視線方向を示している場合にユーザがＨＭＤ１２を装着している状態に変化したと判定してもよい。また例えば、装着判定部１０４は、直近に受信した所定数の視線方向データのいずれもが特定の視線方向を示している場合にユーザがＨＭＤ１２を装着している状態に変化したと判定してもよい。
【０１０９】
Ｓ１０２に示す処理でユーザがＨＭＤ１２を装着している状態に変化したと判定されなかった際には（Ｓ１０２：Ｎ）、Ｓ１０１に示す処理に戻る。
【０１１０】
一方、Ｓ１０２に示す処理でユーザがＨＭＤ１２を装着している状態に変化したと判定された際には（Ｓ１０２：Ｙ）、装着判定部１０４は、状態管理データ記憶部１００に記憶されている状態管理データの値を１に変更する（Ｓ１０３）。そして状態変更通知部１０６が、状態管理データの値を０から１に変更する状態変更通知をＨＭＤ１２に送信して（Ｓ１０４）、Ｓ１０１に示す処理に戻る。
【０１１１】
Ｓ１０１に示す処理で状態管理データの値が１であることが確認された際には、装着判定部１０４は、直近に受信した所定数の視線方向データに基づいて、ユーザがＨＭＤ１２を装着していない状態に変化したか否かを判定する（Ｓ１０５）。ここで例えば装着判定部１０４は、直近に受信した所定数の視線方向データのいずれもが視線方向を示していない場合に、ユーザがＨＭＤ１２を装着していない状態に変化したと判定してもよい。このように、直近の所定時間にわたってユーザの視線の検出ができなかった場合に、ユーザがＨＭＤ１２を装着していない状態に変化したと判定されてもよい。また例えば、装着判定部１０４は、受信した最新の視線方向データが特定の視線方向を示している場合にユーザがＨＭＤ１２を装着していない状態に変化したと判定してもよい。
【０１１２】
Ｓ１０５に示す処理でユーザがＨＭＤ１２を装着している状態に変化したと判定されなかった際には（Ｓ１０５：Ｎ）、Ｓ１０１に示す処理に戻る。
【０１１３】
一方、Ｓ１０５に示す処理でユーザがＨＭＤ１２を装着している状態に変化したと判定された際には（Ｓ１０５：Ｙ）、装着判定部１０４は、状態管理データ記憶部１００に記憶されている状態管理データの値を０に変更する（Ｓ１０６）。そして状態変更通知部１０６が、状態管理データの値を１から０に変更する状態変更通知をＨＭＤ１２に送信して（Ｓ１０７）、Ｓ１０１に示す処理に戻る。
【０１１４】
このようにして本処理例では、検出結果受信部１０２が視線方向データを受信する度に、上述のＳ１０１〜Ｓ１０７に示す処理が実行されることとなる。
【０１１５】
ここでＳ１０４に示す処理で送信された状態変更通知を受信したＨＭＤ１２は、状態管理データ記憶部８０に記憶されている状態管理データの値を１に変更する。この場合、通信制御部８８は第１通信部３４ａが通常状態で動作し、映像取得部９０が取得する映像がエンタテインメント装置１４に送信されるよう制御する。また表示制御部９６は、エンタテインメント装置１４から受信する通常状態映像が表示部３８に表示されるよう制御する。
【０１１６】
またＳ１０７に示す処理で送信された状態変更通知を受信したＨＭＤ１２は、状態管理データ記憶部８０に記憶されている状態管理データの値を０に変更する。この場合、通信制御部８８は第１通信部３４ａが省電力状態で動作するよう制御する。また表示制御部９６は、映像取得部９０が取得する映像などといった省電力状態映像が表示部３８に表示されるよう制御する。
【０１１７】
なお、本発明は上述の実施形態に限定されるものではない。
【０１１８】
例えば省電力状態では、図９に示すアイコン画像１２０が表示部３８に表示されるようにしてもよい。この場合に、装着判定部１０４は、検出結果受信部１０２が受信した視線方向データが、アイコン画像１２０に向かう向きであることを示す場合に、ユーザはＨＭＤ１２を装着したと判定するようにしてもよい。こうすればアイコン画像１２０によって第１通信部３４ａを通常状態に変化させることが可能な視線方向をユーザに案内することができることとなる。
【０１１９】
またエンタテインメント装置１４が、通信制御部８８や表示制御部９６の機能を備えていてもよい。この場合例えば、エンタテインメント装置１４が、カメラ部４４が撮影した映像がＨＭＤ１２から送信されるか否かを制御する通知をＨＭＤ１２に送信してもよい。そしてＨＭＤ１２の通信制御部８８が、当該通知に応じてカメラ部４４が撮影した映像がＨＭＤ１２から送信されるか否かを制御してもよい。また例えばエンタテインメント装置１４が、ＨＭＤ１２に表示される映像の表示態様を示す表示態様データをＨＭＤ１２に送信してもよい。そしてＨＭＤ１２の表示制御部９６が、当該表示態様データが示す表示態様で映像がＨＭＤ１２に表示されるよう制御してもよい。
【０１２０】
また例えば、ＨＭＤ１２が装着判定部１０４及び状態変更通知部１０６の機能を備え、エンタテインメント装置１４が状態管理部８６の機能を備えていてもよい。この場合例えば、ＨＭＤ１２の装着判定部１０４が、検出部８２が検出する情報に基づいて、ユーザがＨＭＤ１２を装着している状態であるか否かを判定してもよい。そしてＨＭＤ１２の装着判定部１０４が、ユーザがＨＭＤ１２を装着している状態であるか否かの判定結果が変更されたことに応じて、状態管理データ記憶部８０に記憶されている状態管理データの値を変更してもよい。そしてＨＭＤ１２の状態管理データ記憶部８０に記憶されている状態管理データの値が変更された際に、ＨＭＤ１２の状態変更通知部１０６が状態変更通知をエンタテインメント装置１４に送信してもよい。
【０１２１】
また以上の説明におけるエンタテインメント装置１４の機能の一部又は全部が、中継装置１６において実装されても構わない。
【０１２２】
またカメラマイクユニット２０のカメラ２０ａが撮影する、ユーザが存在する部屋の映像に基づいて、ユーザがＨＭＤ１２を装着している状態であるか否かが判定されてもよい。またユーザが存在する部屋に配置された、ユーザの位置やＨＭＤ１２の位置を特定可能なセンサの検出結果に基づいて、ユーザがＨＭＤ１２を装着している状態であるか否かが判定されてもよい。
【０１２３】
また、上記の具体的な文字列や数値及び図面中の具体的な文字列や数値は例示であり、これらの文字列や数値には限定されない。
【図１】
2018101162.tif 000003
【図２Ａ】
2018101162.tif 000004
【図２Ｂ】
2018101162.tif 000005
【図２Ｃ】
2018101162.tif 000006
【図３】
2018101162.tif 000007
【図４】
2018101162.tif 000008
【図５】
2018101162.tif 000009
【図６】
2018101162.tif 000010
【図７】
2018101162.tif 000011
【図８】
2018101162.tif 000012
【図９】
2018101162.tif 000013
【国際調査報告】
2018101162.tif 000014
2018101162.tif 000015
2018101162.tif 000016
2018101162.tif 000017